(57)【要約】  少なくとも一つの非接触ＲＦＩＤチップ（２０）と、これに接続されたアンテナ（２２）とが外側に一体化された、特に、パスポートである、少なくとも一頁又は複数頁の確認文書（１００）を備えた人物確認用態様を提供するために、少なくとも一つの電磁波シールド手段が設けられ、これが生物学的情報への不当なアクセスを排除する。
2008507783.tif 000002
【特許請求の範囲】
【請求項１】
少なくとも一つの非接触ＲＦＩＤチップと、これに接続されたアンテナとが外側に一体化された、特に、パスポートである、少なくとも一頁又は複数頁の確認文書を備え、少なくとも一つの電磁波シールド手段を特徴とする人物確認用態様。
【請求項２】
前記電磁波シールド手段は、前記確認文書が保存され得る金属材料を備えた封入袋であることを特徴とする請求項１に記載の人物確認用態様。
【請求項３】
前記電磁波シールド手段は、金属材料を備えた前記確認文書のある頁であることを特徴とする請求項１に記載の人物確認用態様。
【請求項４】
金属材料を備えた前記確認文書頁は、前記非接触ＲＦＩＤチップを備えた前記外側の裏の第一頁であることを特徴とする請求項３に記載の人物確認用態様。
【請求項５】
金属材料を備えた前記確認文書頁は、アルミニウムに覆われた又はアルミニウムが化学気相成長された合成金属泊であることを特徴とする請求項３又は４に記載の人物確認用態様。
【発明の詳細な説明】
【技術分野】
【０００１】
本発明は請求項１の特徴部分の全段に定められた人物確認用態様に関する。
【背景技術】
【０００２】
例えば、パスポート等の、確認文書が従来から当分野で知られている。これらの文書は、パスポート所持者の身元、国籍についての情報を示し、例えば、外国旅行に必要である。従来のパスポートでは、パスポート所持者の氏名、住所、年齢等の個人情報がパスポートの一頁に印刷される。さらに、パスポートはパスポート所持者の顔写真を備える。将来的には、パスポート所持者のデジタル画像、指紋のデジタル画像等の生物学的情報、そして、個人情報が、パスポートのポリカーボネイト又はポリエチレンの頁上に一体化された非接触ＲＦＩＤチップに蓄積されるであろう。従来から当分野で知られ、トランスポンダ及び読み取り装置から成るＲＦＩＤシステムが生物学的情報を読みとるのに用いられる。情報キャリアとして機能するトランスポンダは、電子マイクロチップと、読みとり装置との誘導結合を可能にするアンテナコイルの形態の結合要素とから成る。読みとり装置の応答範囲外で、トランスポンダは、それ自体はエネルギ供給源を持たないので、受動的に機能する。ところが、読みとり装置の応答範囲内では、トランスポンダは、非接触結合ユニットを介して、エネルギ及びクロック信号を受け取る。
【発明の開示】
【発明が解決しようとする課題】
【０００３】
パスポートに埋め込まれたチップが、シールドされずに、近距離から非接触な方法で電子的に読みとられては問題である。このために、読みとり装置の動作モードのみが制限される必要がある。従って、これでは、許可された機関にのみにパスポート所持者の生物学的情報がアクセス可能であることが補償されない。
【０００４】
ＵＳ２００３／０，１６８，５１４により、パスポートの多層カバーシートに非接触ＲＦＩＤチップを一体化させることが知られている。この文書は、チップを埋め込むことによりパスポート・シートの厚みが局所的に変わってしまうことがない方法を記載している。
【０００５】
ＵＳ２００３／０，０５７，２８６は、パスポートが二つ折りや折り曲げられても破壊されないように強固に一体化されたマイクロチップを備えるパスポートを記載している。
【０００６】
ＪＰ１１−３４８４７１は、マイクロチップが例えばパスポート等の複数頁文書の内部頁の一頁上に位置している場合に、マイクロチップが不当なアクセスから保護される態様を記載している。このために、シールド要素が近傍頁の一頁上に設けられる。これは、典型的には、高電導度の金属材料を堆積することにより達成される。パスポートが二つ折りにされると不当なアクセスから保護される。パスポートが折り曲げられない場合は、金属被服を有する頁がマイクロチップから十分離れているので、生物学的情報が問題なく読み取られることができる。確認頁の外側にマイクロチップが設けられた場合に、電磁波からシールドする如何なる手段をもこの文書の発明は記載していない。
【０００７】
本発明の目的は、最後に述べた場合においても、生物学的情報への不当なアクセスを不可能にすることである。
【課題を解決するための手段】
【０００８】
本発明によれば、この目的は、請求項１の特徴部分に定められた態様の手段により解決される。
【０００９】
この態様は、少なくとも一つの電磁波シールド手段を備えるので、マイクチップが確認頁の外側に設けられると、マイクチップに蓄積された情報への不当なアクセスが不可能になることが達成される。この場合、二種類の異なる態様が考えられる。もし、確認文書が一頁のみで成り立つ場合、確認文書が保存され得る金属材料を備えた封入袋として電磁波シールド手段を構成することにより、最も実際的な方法で本発明は達成されることができる。もし、確認文書の外側頁の一頁に確認チップが埋め込まれた場合、金属材料を備えた前記確認文書のある頁により電磁波からシールドされることができる。確認文書が閉じられた場合、マイクチップはアクセス可能であるが、読み出されることはなく、これは、金属材料を備えた頁が電磁波に影響を与えるからである。従って、シールドがマイクチップの前又は後ろにあるかは問題ではない。確認文書が折り曲げられていない場合は、シールド頁が反対向きになり、問題なく、読みとりが可能となる。
【００１０】
本発明のさらに効果的な実施形態が従属請求項に定められている。
【００１１】
本発明のこれら並びに他のアスペクトが以下に記載される実施形態により明らかとなる。
【発明を実施するための最良の形態】
【００１２】
図１は、参照番号１００で示された、本発明によるパスポートの平面図である。パスポート所持者の生物学的情報を蓄積するマイクロチップ２０がカバーシート１０上に一体化されている。ボンディングワイヤ２４及び２６により、ＲＦＩＤシステムの読み取り装置のための結合要素である側方コイル２２にマイクロチップ２０が接続されている。
【００１３】
図２は、折り曲げられた状態の、本発明によるパスポートの正面図である。カバーシート１０の真裏に金属被服頁１４が位置している。マイクロチップ２０を読み取るのに適する電磁界がもたらされると、適切な信号伝送が不可能なように、頁１４内の金属被服が電磁界を歪ませる。これは電磁波からのシールドに等しい。さらなる頁１６及び１８並びに裏カバーシート１２は電磁界を変更させることはない。
【００１４】
図３は、折り曲げられていない状態の、本発明によるパスポートを示している。ここでは、金属被服頁１４がカバーシート１０から遠く離れているので、情報が適切に読み出されることができる。
【図面の簡単な説明】
【００１５】
【図１】一体化されたマイクロチップを有する確認文書の平面図である。
【図２】折り曲げられた状態の本発明によるパスポートの正面図である。
【図３】折り曲げられていない状態の本発明によるパスポートの正面図である。
【符号の説明】
【００１６】
１００  パスポート
１０    カバーシート
１２    カバーシート
１４    金属被服頁
１６    さらなる頁
１８    さらなる頁
２０    マイクロチップ
２２    側方コイル/アンテナ
２４    ボンディングワイヤ
２６    ボンディングワイヤ
【図１】
2008507783.tif 000003
【図２】
2008507783.tif 000004
【図３】
2008507783.tif 000005
【国際調査報告】
2008507783.tif 000006
2008507783.tif 000007